(57)【特許請求の範囲】
【請求項１】
照射方向を変更可能な発光部を備えた照明装置を用いた発光撮像が可能な撮像装置であって、
測光手段と、
前記測光手段を用いた測光結果に関する情報を表示できる表示手段と、
前記表示手段を制御する表示制御手段と、
を有し、
前記表示制御手段は、前記照明装置が、複数の異なる方向に向けて前記発光部の照射方向を自動で変更しながら複数回の発光を行う第１の動作中である場合に、前記測光結果に関する情報を表示しないように前記表示手段を制御することを特徴とする撮像装置。
【請求項２】
前記表示制御手段は、前記照明装置が前記第１の動作中である場合に、前記測光結果に関する情報のうち、前記撮像装置が自動で演算した情報を表示しないように前記表示手段を制御することを特徴とする請求項１に記載の撮像装置。
【請求項３】
前記表示制御手段は、前記照明装置が前記第１の動作中である場合に、前記測光結果に関する情報のうち、ユーザが手動設定した情報を表示するように前記表示手段を制御することを特徴とする請求項２に記載の撮像装置。
【請求項４】
前記表示制御手段は、前記照明装置が前記第１の動作中ではない場合に、前記測光手段を用いた測光に応じて、前記測光結果に関する情報を表示するように前記表示手段を制御することを特徴とする請求項１乃至３の何れか一項に記載の撮像装置。
【請求項５】
前記表示制御手段は、前記照明装置が、発光を伴わずに前記発光部の照射方向を自動で変更する第２の動作中である場合に、前記測光手段を用いた測光に応じて、前記測光結果に関する情報を表示するように前記表示手段を制御することを特徴とする請求項４に記載の撮像装置。
【請求項６】
照射方向を変更可能な発光部を備えた照明装置を用いた発光撮像が可能な撮像装置であって、
測光手段と、
前記測光手段を用いた測光結果に関する情報を表示できる表示手段と、
前記表示手段を制御する表示制御手段と、
を有し、
前記表示制御手段は、前記照明装置が、複数の異なる方向に向けて前記発光部の照射方向を自動で変更しながら複数回の発光を行う第１の動作中である場合に、前記表示手段での前記測光結果に関する情報の表示を更新しないように前記表示手段を制御することを特徴とする撮像装置。
【請求項７】
前記表示制御手段は、前記照明装置が前記第１の動作中である場合に、前記測光結果に関する情報のうち、前記撮像装置が自動で演算した情報の前記表示手段での表示を更新しないように前記表示手段を制御することを特徴とする請求項６に記載の撮像装置。
【請求項８】
前記表示制御手段は、前記照明装置が前記第１の動作中である場合に、前記測光結果に関する情報のうち、ユーザが手動設定した情報の前記表示手段での表示を更新するように前記表示手段を制御することを特徴とする請求項７に記載の撮像装置。
【請求項９】
前記表示制御手段は、前記照明装置が前記第１の動作中ではない場合に、前記測光手段を用いた測光に応じて、前記表示手段での前記測光結果に関する情報の表示を更新するように前記表示手段を制御することを特徴とする請求項６乃至８の何れか一項に記載の撮像装置。
【請求項１０】
前記表示制御手段は、前記照明装置が、発光を伴わずに前記発光部の照射方向を自動で変更する第２の動作中である場合に、前記測光手段を用いた測光に応じて、前記表示手段での前記測光結果に関する情報の表示を更新するように前記表示手段を制御することを特徴とする請求項９に記載の撮像装置。
【請求項１１】
前記表示制御手段は、前記照明装置が前記第１の動作中である場合に、前記照明装置が複数の異なる方向に向けて前記発光部の照射方向を自動で変更する旨を報知する情報を表示するように前記表示手段を制御することを特徴とする請求項１乃至１０の何れか一項に記載の撮像装置。
【請求項１２】
照射方向を変更可能な発光部を備えた照明装置を用いた発光撮像が可能な撮像装置であって、
測光手段と、
前記測光手段を用いた測光に応じて、測光結果に関する情報を表示できる表示手段と、
前記測光手段を用いた測光を行うか否かを制御する測光制御手段と、
を有し、
前記測光制御手段は、前記照明装置が、複数の異なる方向に向けて前記発光部の照射方向を自動で変更しながら複数回の発光を行う第１の動作中である場合に、前記測光手段を用いた測光を行わないように前記測光手段を制御することを特徴とする撮像装置。
【請求項１３】
前記測光結果に関する情報は、前記測光手段を用いた測光結果に対応する露出制御値に関する情報を含むことを特徴とする請求項１乃至１２の何れか一項に記載の撮像装置。
【請求項１４】
前記測光結果に関する情報は、ユーザが設定した露出制御値と前記測光手段を用いた測光結果に対応する露出制御値との差異に関する情報を含むことを特徴とする請求項１乃至１３の何れか一項に記載の撮像装置。
【請求項１５】
前記照明装置との通信結果に基づいて、前記照明装置が前記第１の動作中であるか否かを判定する判定手段を有することを特徴とする請求項１乃至１４の何れか一項に記載の撮像装置。
【請求項１６】
照射方向を変更可能な発光部を備えた照明装置を用いた発光撮像が可能な照明装置を用いた発光撮像ができ、測光手段を備えた撮像装置の制御方法であって、
前記測光手段を用いた測光結果に関する情報の表示を制御する表示制御工程を有し、
前記表示制御工程では、前記照明装置が、複数の異なる方向に向けて前記発光部の照射方向を自動で変更しながら複数回の発光を行う動作中である場合に、前記測光結果に関する情報を表示しないように制御することを特徴とする撮像装置の制御方法。
【請求項１７】
照射方向を変更可能な発光部を備えた照明装置を用いた発光撮像が可能な照明装置を用いた発光撮像ができ、測光手段を備えた撮像装置の制御方法であって、
前記測光手段を用いた測光結果に関する情報の表示を制御する表示制御工程を有し、
前記表示制御工程では、前記照明装置が、複数の異なる方向に向けて前記発光部の照射方向を自動で変更しながら複数回の発光を行う動作中である場合に、前記測光結果に関する情報の表示を更新しないように制御することを特徴とする撮像装置の制御方法。
【請求項１８】
照射方向を変更可能な発光部を備えた照明装置を用いた発光撮像が可能な照明装置を用いた発光撮像ができ、測光手段を備えた撮像装置の制御方法であって、
前記測光手段を制御する測光制御工程を有し、
前記測光制御工程では、前記測光手段を用いた測光結果に関する情報を表示する場合であって、前記照明装置が、複数の異なる方向に向けて前記発光部の照射方向を自動で変更しながら複数回の発光を行う動作中である場合に、前記測光手段を用いた測光を行わないように前記測光手段を制御することを特徴とする撮像装置の制御方法。
【請求項１９】
請求項１６乃至１８の何れか一項に記載の撮像装置の制御方法をコンピュータで実行させるためのコンピュータで読み取り可能なプログラム。
【発明の詳細な説明】
【技術分野】
【０００１】
本発明は、測光結果をユーザに報知可能な撮像装置に関する。
【背景技術】
【０００２】
従来、被写体の測光結果をユーザに報知する技術が知られていて、特許文献１には、測光によって算出したシャッター秒時と絞り値をファインダ内やモニタ内に表示する技術について開示されている。
【０００３】
また、照明装置から照射された光を対象物に反射させ、この反射光で被写体を照明した状態で当該被写体を撮像する、所謂バウンス発光撮像が可能な撮像装置および発光装置が知られている。特許文献２には、バウンス発光撮像を行う場合に、被写体と天井に向けてストロボ装置をプリ発光した際の反射光に基づいて、ストロボ装置の照射方向を変更させるための駆動を自動で行う（以下、オートバウンス動作と称す）技術について提案されている。
【先行技術文献】
【特許文献】
【０００４】
【特許文献１】特開平３−２３１７２９号公報
【特許文献２】特開２０１５−４９３２号公報
【発明の概要】
【発明が解決しようとする課題】
【０００５】
しかしながら、特許文献１に開示されている技術を特許文献２に記載の技術に適用した場合は以下の問題が生じる。上述したオートバウンス動作では、ストロボ装置の照射方向の変更と複数回のプリ発光を行うため、オートバウンス動作中に測光する場合は測光結果が頻繁に変化してしまう。この場合、測光結果の変化に応じて、表示手段に表示される測光結果が不自然に変化してしまうため、ユーザに違和感を与えてしまう。
【０００６】
本発明の目的は、照明装置の照射方向を自動で変更する場合に、ユーザに報知する測光結果に関する情報が不自然に変化することを抑制することである。
【課題を解決するための手段】
【０００７】
上記目的を達成する本発明の撮像装置は、照射方向を変更可能な発光部を備えた照明装置を用いた発光撮像が可能な撮像装置であって、測光手段と、前記測光手段を用いた測光結果に関する情報を表示できる表示手段と、前記表示手段を制御する表示制御手段と、を有し、前記表示制御手段は、前記照明装置が、複数の異なる方向に向けて前記発光部の照射方向を自動で変更しながら複数回の発光を行う第１の動作中である場合に、前記測光結果に関する情報を表示しないように前記表示手段を制御することを特徴とする。
【発明の効果】
【０００８】
本発明によれば、照明装置の照射方向を自動で変更する場合に、ユーザに報知する測光結果に関する情報が不自然に変化することを抑制することができる。
【図面の簡単な説明】
【０００９】
【図１】本発明の実施形態に係る撮像装置であるデジタルカメラ１００の構成例を示すブロック図である。
【図２】本発明の実施形態に係る照明装置である外部ストロボ１２０の構成例を示すブロック図である。
【図３】本発明に係る外部ストロボ１２０の基準位置について例示的に説明する図である。
【図４】本発明の実施形態に係るオートバウンス動作を説明するフローチャートである。
【図５】本発明の第１実施形態に係る情報表示部１０８の表示内容を例示的に説明する図である。
【図６】本発明の第１実施形態に係る測光表示制御を説明するフローチャートである。
【図７】本発明の第２実施形態に係る測光表示制御を説明するフローチャートである。
【図８】本発明の第３実施形態に係る測光表示制御を説明するフローチャートである。
【発明を実施するための形態】
【００１０】
以下に、本発明の好ましい実施の形態を、添付の図面に基づいて詳細に説明する。
【００１１】
（デジタルカメラ１００の基本構成）
本発明の実施形態に係る撮像装置であるデジタルカメラ（以下、単にカメラと称す）１００の構成について図１を参照して説明する。図１は、本発明の実施形態に係る撮像装置であるデジタルカメラ１００の構成例を示すブロック図である。
【００１２】
カメラ１００は、照明方向を変更可能な発光部２０８を備えた外部ストロボ１２０を接続可能であって、外部ストロボ１２０を用いた発光撮像が可能な撮像装置である。外部ストロボ１２０の構成についての詳細は後述する。
【００１３】
カメラＭＰＵ１０１は、カメラ１００全体の動作を統括的に制御するためのマイクロコントローラである。撮像素子１０２は、後述するレンズユニット３００を介して導かれた被写体の光束を電気信号に変換するＣＣＤやＣＭＯＳ等の電荷蓄積型の固体撮像素子である。タイミング信号発生回路１０３は、撮像素子１０２を動作させるために必要なタイミング信号を発生するタイミング発生手段である。Ａ／Ｄ変換器１０４は、撮像素子１０２から出力されたアナログ画像データをデジタル画像データに変換する変換手段である。メモリコントローラ１０５は、メモリ１０６への読み書きやメモリ１０６のリフレッシュ動作などを制御するメモリ制御手段である。
【００１４】
モニタ１０７は、メモリ１０６に格納された画像データを表示するＴＦＴ型ＬＣＤ（薄膜トランジスタ駆動型液晶表示器）などで構成された表示手段である。なお、モニタ１０７には、前述したデジタル画像データをＤ／Ａ変換部（不図示）で変換した表示用のアナログ画像データが表示される。
【００１５】
情報表示部１０８は、被写体を測光した測光結果や後述する外部ストロボ１２０の動作に関する情報を表示するＬＣＤ（液晶表示器）などで構成された表示手段である。この情報表示部１０８に関わる表示の変更や表示の更新などの種々の制御（表示制御）は、カメラＭＰＵ（表示制御手段）１０１によって実行される。情報表示部１０８の表示制御に関しての詳細は、後述の測光表示制御の説明で言及する。
【００１６】
インターフェース（Ｉ／Ｆ）１０９は、メモリカードやハードディスクなどの記録媒体１１０との接続に用いるインターフェースである。モーター制御部１１１は、カメラＭＰＵ１０１からの信号に従って不図示のモーターを制御することで、後述するレンズユニット３００を介して入射した光束の光路を変更するために不図示のミラーの位置を制御する制御手段である。ミラーがアップしている状態で、レンズユニット３００を介して入射した光束は撮像素子１０２側に導かれ、ミラーがダウンしている状態で、レンズユニット３００を介して入射した光束は測光センサ１１４やファインダ（不図示）側に導かれる。
【００１７】
シャッター制御部１１２は、カメラＭＰＵ１０１からの信号に従って、撮像素子１０２の前方に配置され撮像素子１０２を遮光状態と露光状態とに切り換える不図示のシャッターを制御する制御手段である。
【００１８】
測光部１１３は、被写体を測光する測光手段である。具体的に、測光部１１３は、撮像範囲を複数のエリアに分割した測光センサ１１４の出力に基づいて各エリアの測光値をカメラＭＰＵ１０１に出力する。カメラＭＰＵ１０１は、取得した各エリアの測光値に基づいて撮像時の露出制御値であるＡＶ（絞り値）、ＴＶ（シャッタースピード）、ＩＳＯ（撮影感度）を決定するための露出演算を行う。
【００１９】
なお、カメラ１００の測光動作毎に、カメラＭＰＵ１０１によって、演算した露出制御値に関する情報が情報表示部１０８に表示される。
【００２０】
レンズ制御部１１５は、カメラＭＰＵ１０１からの信号に従って不図示のレンズ駆動モーター及び絞り駆動モーターを制御して、レンズユニット３００の焦点調節と絞り調節を行う制御手段である。
【００２１】
焦点検出部１１６は、撮像範囲内に複数の測距点を備えた焦点検出センサ（不図示）の出力に基づいて各測距点のデフォーカス量を検出する検出手段であって、検出結果はカメラＭＰＵ１０１に出力される。そして、カメラＭＰＵ１０１は、焦点検出部１１６から出力されたデフォーカス量に基づき、レンズ制御部１１５に焦点調節動作を実行させるための指示を出す。姿勢検出部１１７は、加速度センサなどを備え、重力方向に対するカメラ１００の姿勢を検出する検出手段である。
【００２２】
操作部１１８は、不図示の電源ボタン、レリーズボタン、バウンススイッチを含み、ユーザからの操作入力を受け付ける操作手段である。レリーズボタンは、ユーザによりＳＷ１状態（例えば、半押し）とＳＷ２状態（例えば、全押し）に変化する操作手段であって、撮像準備動作と撮像動作の開始指示を受け付ける操作手段である。カメラＭＰＵ１０１は、レリーズボタンがＳＷ１状態にされたことに応じて焦点検出動作や測光動作などの撮像準備動作を開始させる。また、カメラＭＰＵ１０１は、レリーズボタンがＳＷ２状態にされたことに応じて、撮像素子１０２を用いた被写体の撮像動作を開始させる。
【００２３】
バウンススイッチは、後述する外部ストロボ１２０が複数の異なる方向に向けて発光部２０８の照射方向を変更する動作（以下、オートバウンス動作）の開始指示を受け付ける操作手段である。ユーザによってバウンススイッチが操作されると、ストロボＭＰＵ２０１の指示に応じてオートバウンス動作が開始される。オートバウンス動作の詳細については、後述のオートバウンス動作の説明で言及する。
【００２４】
発光制御部１１９は、後述の外部ストロボ１２０又は内蔵ストロボ１２１を用いた発光撮像時の発光量や発光パターンなどを制御する制御手段である。また、発光制御部１１９は、カメラＭＰＵ１０１からの信号に応じた制御を外部ストロボ１２０と内蔵ストロボ１２１のどちらに適用するかを切り替えるための制御を実行する制御手段でもある。
【００２５】
なお、発光制御部１１９は、カメラＭＰＵ１０１などのカメラ本体側と外部ストロボ１２０との通信を制御する制御手段でもある。本発明の実施形態では、発光制御部１１９の制御に応じたカメラ１００側と外部ストロボ１２０側との通信結果に基づいて、カメラＭＰＵ（判定手段）１０１が、外部ストロボ１２０が後述するオートバウンス動作中であるか否かを判定する。この詳細については、後述の測光表示制御の説明で言及する。
【００２６】
レンズユニット３００は、フォーカスレンズやズームレンズ、シフトレンズなどの種々のレンズ群を含む撮像レンズユニットである。本発明の実施形態に係るカメラ１００は、カメラ本体とレンズユニット３００とが一体的に設けられている構成であるが、カメラ本体とレンズユニットとが別々に設けられている構成であってもよい。
【００２７】
次に、照明装置である外部ストロボ１２０の構成について、図２を参照して説明する。図２は、本発明の実施形態に係る照明装置である外部ストロボ１２０の構成例を示すブロック図である。
【００２８】
外部ストロボ１２０は、カメラ本体に取り付けるための取り付け部を有する本体部１２０ａと、本体部１２０ａに対して上下（垂直）および左右（水平）方向に駆動可能に保持される可動部１２０ｂを備えている。可動部１２０ｂを本体部１２０ａに対して上下及び左右方向に駆動可能に保持する機構は公知の機構を用いればよい。例えば、特開昭６３−２０４２３８号公報や特開２０１１−１３７９６０号公報に記載された機構を用いればよい。
【００２９】
本体部１２０ａは、ストロボＭＰＵ２０１、駆動制御部２０２、ストロボ姿勢検出部２０３、照射方向演算部２０４、ストロボ操作部２０５、接続部２０６を備えている。一方、可動部１２０ｂは、ストロボ測光部２０７、発光部２０８、充電部２０９を備えている。
【００３０】
ストロボＭＰＵ２０１は、外部ストロボ１２０の動作を統括的に制御する制御手段である。駆動制御部２０２は、ストロボＭＰＵ２０１からの信号に従って不図示のモーターを制御することにより、可動部１２０ｂの本体部１２０ａに対する上下及び左右方向への駆動を制御する制御手段である。すなわち、駆動制御部２０２は、外部ストロボ１２０のオートバウンス動作を制御する制御手段である。
【００３１】
また、駆動制御部２０２は、エンコーダ（不図示）を用いて本体部１２０ａに対する可動部１２０ｂの駆動量を取得し、ストロボＭＰＵ２０１に出力する。なお、上述した駆動量は、図３に図示するような外部ストロボ１２０の基準位置に対する駆動量である。
【００３２】
図３は、本発明に係る外部ストロボ１２０の基準位置について例示的に説明する図である。図３に図示するように、外部ストロボ１２０がカメラ本体に装着された状態で、可動部１２０ｂの中心軸とレンズユニット３００の撮影光軸とが交差しない位置を外部ストロボ１２０の基準位置とする。
【００３３】
ストロボ姿勢検出部２０３は、加速度センサなどを備え、本体部１２０ａの姿勢を検出する検出手段である。照射方向演算部２０４は、ストロボ姿勢検出部２０３で検出した本体部１２０ａの姿勢や後述のストロボ測光部２０７で取得した測光値などに基づいて、外部ストロボ１２０を用いたバウンス発光撮像時の最適な照射方向を演算する演算手段である。具体的に、照射方向演算部２０４は、ユーザによってオートバウンス動作の開始指示がされたことに応じて、発光部２０８の照射方向が外部ストロボ１２０を用いたバウンス発光撮像に最適な方向となるような可動部１２０ｂの位置を演算する。
【００３４】
ストロボ操作部２０５は、電源スイッチや外部ストロボ１２０側のバウンススイッチを含む操作手段である。なお、カメラ本体側と外部ストロボ１２０側のバウンススイッチを操作した場合で異なる動作が実行されるような設定がされている場合、何れかのバウンススイッチに従った動作を優先して実行すればよい。
【００３５】
接続部２０６は、カメラ本体に外部ストロボ１２０を取り付けるための取り付け部や通信接点が設けられており、外部ストロボ１２０は、接続部２０６を介してカメラ本体部側との通信を行うことができる。
【００３６】
ストロボ測光部２０７は、受光センサを備え、発光部２０８のプリ発光によって対象物（照射対象）から反射した反射光を測光する測光手段である。
【００３７】
当該受光センサの受光面は、発光部２０８の照射方向と同じ方向を向くように設けられている。ストロボ測光部２０７は、受光センサが受光した光束に応じた信号をストロボＭＰＵ２０１に出力する。そして、ストロボＭＰＵ２０１は、ストロボ測光部２０７から出力される信号に基づいて、発光部２０８の照射面から照射対象までの距離を算出する。なお、受光センサの向きや位置は上記の例に限定されず、入射面が発光部２０８の照射方向と同じ方向を向くように設けられた光ファイバー等の導光部材を介して照射対象からの反射光束を受光する構成であってもよい。
【００３８】
発光部２０８は、閃光放電管やＬＥＤなどを光源とし、光源の前方に樹脂などで形成された照射面を備えた発光手段である。発光部２０８は、ストロボＭＰＵ２０１からの発光信号に基づいて発光可能である。すなわち、発光部２０８の発光に関する制御はストロボＭＰＵ２０１によって制御される。
【００３９】
充電部２０９は、発光部２０８を発光させるためのエネルギーを蓄積するコンデンサと、コンデンサを充電するための昇圧回路などを有した充電手段である。充電部２０９は、ストロボＭＰＵ２０１からの充電指示信号に基づいて、コンデンサの充電制御を行う。また、充電部２０９は、コンデンサの充電電圧を測定し、ストロボＭＰＵ２０１に充電電圧の測定結果を出力する。以上がカメラ１００の基本構成である。
【００４０】
（オートバウンス動作）
以下、外部ストロボ１２０のオートバウンス動作について図４を参照して説明する。図４は、本発明の実施形態に係るオートバウンス動作を説明するフローチャートである。以降は、外部ストロボ１２０の各部に電力が供給されており、カメラ本体側または外部ストロボ１２０側のバウンススイッチを用いて、ユーザからオートバウンス動作の開始が指示された場合について説明する。
【００４１】
オートバウンス動作の開示が指示されると、ステップＳ４０１でストロボＭＰＵ２０１は、ストロボ姿勢検出部２０３から本体部１２０ａの姿勢に関する情報を取得する。なお、本体部１２０ａの姿勢に関する情報は、接続部２０６を重力方向に向けた状態の外部ストロボ１２０の姿勢（正位置）を基準にした、本体部１２０ａの前後方向及び左右方向の傾き角度とする。
【００４２】
次に、ステップＳ４０２でストロボＭＰＵ２０１は、駆動制御部２０２に指示して、発光部２０８の光の照射方向が重力方向と逆方向（天井方向）となるように可動部１２０ｂを駆動する。
【００４３】
次に、ステップＳ４０３でストロボＭＰＵ２０１は、発光部２０８の照射方向が天井方向である状態で発光部２０８をプリ発光させる。この状態で、ストロボＭＰＵ２０１は、ストロボ測光部２０７に指示して測光を実行させ、当該測光で得られた測光値に基づいて発光部２０８から天井までの距離情報を取得する。
【００４４】
なお、発光部２０８から対象物までの距離情報は、例えば、予め設定された所定の反射率の対象物が所定の距離に位置する場合の測光値と、当該仮定の測光値と実際の測光値との差異に基づいて算出すればよい。このとき、ストロボ測光部２０７で受光する光束は、発光部２０８から照射され対象物で反射した光束なので、ストロボ測光部２０７で受光する光束の光路長と発光部２０８から対象物までの距離の２倍に一致しない。しかしながら、ストロボ測光部２０７の受光センサと発光部２０８との位置の差異が発光部２０８の光の照射方向に与える影響は小さい。したがって、ストロボ測光部２０７の受光センサと発光部２０８との位置が略等しいものとして演算する。
【００４５】
次に、ステップＳ４０４でストロボＭＰＵ２０１は、駆動制御部２０２に指示して、発光部２０８の照射方向が正面方向（被写体方向）となるように可動部１２０ｂを駆動させる。なお、外部ストロボ１２０は、本体部１２０ａの姿勢が正位置であって可動部１２０ｂが基準位置にある場合に、発光部２０８の照射方向が正面方向となる。
【００４６】
次に、ステップＳ４０５でストロボＭＰＵ２０１は、発光部２０８の照射方向が正面方向である状態で発光部２０８をプリ発光させる。この状態で、ストロボＭＰＵ２０１は、ストロボ測光部２０７に指示して測光を実行させ、当該測光で得られた測光値に基づいて発光部２０８から被写体までの距離情報を取得する。発光部２０８から対象物までの距離情報は、ステップＳ４０３と同じ方法で算出するので説明は省略する。
【００４７】
次に、ステップＳ４０６でストロボＭＰＵ２０１は、照射方向演算部２０４に指示して、バウンス発光撮像に適した発光部２０８の照射方向を演算（決定）させる。具体的に、ステップＳ４０６で照射方向演算部２０４は、本体部１２０ａの姿勢に関する情報と、発光部２０８から各対象物までの距離に関する情報に基づいて、上述した発光部２０８の光の照射方向を演算する。
【００４８】
発光部２０８の照射方向の演算方法としては、発光部２０８から天井までの距離をｄ、被写体までの距離をＤ、バウンス発光に適した発光部２０８の照射方向に対応する本体部１２０ａに対する可動部１２０ｂの角度をθとして、以下の式（１）にて決定する。
θ＝ｔａｎ−１（２ｄ／Ｄ）      （１）
なお、上記の式（１）で求められる角度は、外部ストロボ１２０の姿勢が正位置である状態の角度である。したがって、外部ストロボ１２０の姿勢が正位置以外の場合は、ストロボ姿勢検出部２０３の検出結果に応じて、バウンス発光に適した発光部２０８の照明方向を補正すればよい。
【００４９】
次に、ステップＳ４０７でストロボＭＰＵ２０１は、駆動制御部２０２に指示して、発光部２０８の照射方向がステップＳ４０６で決定した方向となるように可動部１２０ｂを駆動させる。以上が、本発明の実施形態に係るオートバウンス動作である。
【００５０】
なお、外部ストロボ１２０は、上述したオートバウンス動作（第１の動作）以外に、発光を伴わずに発光部２０８の照射方向を自動で変更するオートバウンス動作（第２の動作）が可能である。上述した第１の動作および第２の動作の双方は、ユーザによるオートバウンス動作の開始指示から、バウンス発光撮像に適した発光部２０８の照射方向まで可動部１２０ｂを駆動するまでの動作である。
【００５１】
両者の相違点について詳細を説明する。第１の動作が、複数の異なる方向に向けて発光部２０８の照射方向を自動で変更しながら複数回の発光を伴うオートバウンス動作であるのに対して、第２の動作は、発光を伴わずに発光部２０８の照射方向を自動で変更するオートバウンス動作である。すなわち、第１の動作と第２の動作の相違点は、発光部２０８の照射方向の変更中に発光を伴うか否かという点である。以降の説明では、特記しない限りは、外部ストロボ１２０がオートバウンス動作として第１の動作を実行する場合について説明する。
【００５２】
（第１実施形態）
（測光表示制御動作）
以下、図５、６を参照して、本実施形態に係るカメラ１００の撮像動作について説明する。カメラ１００は、測光部１１３による測光ごとにその測光結果に関する情報を情報表示部１０８に表示する構成である。本実施形態では、測光結果に関する情報を、測光結果に対応した露出に関する情報とする。より具体的に説明すると、測光部１１３が取得した測光値に基づく露出制御値、および、ユーザが手動設定した露出制御値と測光部１１３が算出した測光値に対応する露出制御値との差異を示す露出差情報を測光結果に関する情報とする。
【００５３】
図５は、本発明の第１実施形態に係る情報表示部１０８の表示内容を例示的に説明する図である。図５（ａ）は、測光結果に関する情報が情報表示部１０８に表示されている状態を示し、図５（ｂ）は、オートバウンス動作中を示す情報が情報表示部１０８に表示されている状態を示している。
【００５４】
測光部１１３による測光が行われると、図５（ａ）に図示するように、測光に応じた測光結果に関する情報として露出制御値５０２または、露出差情報５０３が情報表示部１０８の表示面５０１に表示される。
【００５５】
なお、露出制御値５０２としては、測光部１１３によって取得された測光値に対応する各露出制御値（絞り値、シャッタースピード、撮影感度）の実際の値だけでなく、露出制御値に関するアイコン（例えば、図５（ａ）の「ＩＳＯ」など）も含む。
【００５６】
以上説明した測光結果に関する情報を情報表示部１０８に表示することで、本実施形態のカメラ１００は、ユーザに向けて測光結果に関する情報を報知することができる。
【００５７】
しかしながら、外部ストロボ１２０のオートバウンス動作（第１の動作）を実行する場合は、可動部１２０ｂの駆動に伴って天井方向および正面方向に向けて発光部２０８をプリ発光する必要がある。したがって、測光部１１３を用いた被写体の測光中にオートバウンス動作が実行されると、可動部１２０ｂの駆動と発光部２０８のプリ発光により、測光部１１３が取得する測光値が変化してしまう。
【００５８】
この場合、情報表示部１０８に表示される測光結果に関する情報も、発光部２０８がプリ発光するごとに変化してしまう。したがって、ユーザによるオートバウンス動作の開始指示から実際に発光部２０８の照射方向がバウンス発光に適した向きに変更されるまでの間に、情報表示部１０８に表示される測光結果に関する情報が不自然に変化してしまう。
【００５９】
外部ストロボ１２０のオートバウンス動作は、ユーザによる指示に応じて自動的に行われるため、ユーザが発光部２０８のプリ発光のタイミングを正確に把握することは困難である。したがって、ユーザに報知する測光結果に関する情報が不自然に変化してしまうことで、ユーザに対して違和感を与えてしまう。
【００６０】
そこで、本実施形態では、測光結果に関する情報の表示制御（以下、測光表示制御と称す）として、外部ストロボ１２０のオートバウンス動作中は、被写体を測光した測光結果に関する情報を表示させないように制御することで上述の問題に対応する。以下、この詳細について図６を参照して説明する。
【００６１】
図６は、本発明の第１実施形態に係る測光表示制御を説明するフローチャートである。なお、以降の説明では、ユーザによりレリーズボタンがＳＷ１状態にされた（撮像準備指示がされた）ことに応じて測光動作を開始する場合について説明するが、本実施形態の測光表示制御としてはこれに限定されるものではない。本実施形態のカメラ１００としては、少なくとも、測光を伴う所定の動作に応じて測光表示制御を実施する構成であればよい。
【００６２】
カメラＭＰＵ１０１は、レリーズボタンがＳＷ１状態にされたことに応じて測光表示制御を開始する。ステップＳ６０１で測光部１１３は、測光センサ１１４の出力に基づいて各エリアの測光値を取得し、カメラＭＰＵ１０１に出力する。
【００６３】
測光が完了すると、ステップＳ６０２でカメラＭＰＵ１０１は、外部ストロボ１２０が、オートバウンス動作中であるか否かを判定する。この処理について具体的に説明する。測光が完了すると、カメラＭＰＵ１０１は、発光制御部１１９を介して、外部ストロボ１２０の状態確認用の信号をストロボＭＰＵ２０１に送信する。ストロボＭＰＵ２０１は、当該状態確認用の信号を受信したことに応じて、自身の動作状態に関する状態信号をカメラＭＰＵ１０１に送信する。例えば、外部ストロボ１２０がオートバウンス動作中である場合は、その旨の状態信号がカメラＭＰＵ１０１に送信される。また、外部ストロボ１２０がオートバウンス動作以外の動作中である場合は、その旨の状態信号がカメラＭＰＵ１０１に送信される。そして、カメラＭＰＵ１０１は、ストロボＭＰＵ２０１から受信した状態信号に基づいて、外部ストロボ１２０がオートバウンス動作中であるか否かを判定する。
【００６４】
カメラＭＰＵ１０１がオートバウンス動作中である（ステップＳ６０２でＹＥＳ）と判定した場合、ステップＳ６０３でカメラＭＰＵ１０１は、露出制御値表示フラグをＯＦＦに設定する。この露出制御値表示フラグは、後述する表示処理において、情報表示部１０８に図５（ａ）に図示するような露出制御値５０２を表示するか否かを設定するための情報である。
【００６５】
次に、ステップＳ６０４でカメラＭＰＵ１０１は、露出差情報表示フラグをＯＦＦに設定する。この露出差情報表示フラグは、後述する表示処理において、情報表示部１０８に図５（ａ）に図示するような露出差情報５０３を表示するか否かを設定するための情報である。なお、当該露出差情報表示フラグは、ユーザが手動で露出制御値を設定した場合のみ、ＯＮに設定できるような構成であってもよい。
【００６６】
次に、ステップＳ６０５でカメラＭＰＵ１０１は、オートバウンス表示フラグをＯＮに設定する。このオートバウンス表示フラグは、後述する表示処理において、情報表示部１０８に図５（ｂ）に図示するような「Ａ＿ｂ」で表すオートバウンス情報５０４を表示するか否かを設定するための情報である。なお、外部ストロボ１２０のオートバウンス動作が完了した時点で、情報表示部１０８へのオートバウンス情報５０４の表示を終了し、オートバウンス情報は非表示となる。
【００６７】
次に、カメラＭＰＵ１０１がオートバウンス動作中ではない（ステップＳ６０２でＮＯ）と判定した場合、ステップＳ６０６でカメラＭＰＵ１０１は、露出制御値表示フラグをＯＮに設定する。次に、ステップＳ６０７でカメラＭＰＵ１０１は、露出差情報表示フラグをＯＮに設定する。次に、ステップＳ６０８でカメラＭＰＵ１０１は、オートバウンス表示フラグをＯＦＦに設定する。以上説明した各表示フラグは、メモリ１０６に記録され、表示処理のタイミングでカメラＭＰＵ１０１によって読み出される。
【００６８】
各ステップで表示フラグのＯＮ・ＯＦＦを設定した後に、ステップＳ６０９でカメラＭＰＵ１０１は、メモリ１０６に記録されている各表示フラグを読み出す。そして、カメラＭＰＵ（表示制御手段）１０１は、読み出した表示フラグに基づいて、測光結果に関する情報および外部ストロボ１２０の動作に関する情報（オートバウンス情報）を情報表示部１０８に表示するか否かを制御する。
【００６９】
なお、ステップＳ６０２の判定がＹＥＳ（オートバウンス動作中）の場合、露出制御値表示フラグと露出差情報表示フラグがＯＦＦに設定されており、オートバウンス表示フラグがＯＮに設定されている。したがって、この場合、カメラＭＰＵ１０１は、露出制御値５０２と露出差情報５０３を表示させず、オートバウンス情報５０４を表示させるように、情報表示部１０８の表示制御を実行する。
【００７０】
また、ステップＳ６０２の判定がＮＯ（オートバウンス非動作中）の場合、露出制御値表示フラグと露出差情報表示フラグがＯＮに設定されており、オートバウンス表示フラグがＯＦＦに設定されている。したがって、この場合、カメラＭＰＵ１０１は、露出制御値５０２と露出差情報５０３を表示させ、オートバウンス情報５０４を表示させないように、情報表示部１０８の表示制御を実行する。以上が本実施形態の測光表示制御である。
【００７１】
なお、測光表示制御において、カメラＭＰＵ１０１が、表示フラグだけでなくカメラ１００の現在の設定や動作状態に基づいて表示処理を実行するような構成であってもよい。例えば、カメラ１００の設定として情報表示部１０８に何も表示しない設定がされている場合は、全ての表示フラグをＯＦＦに設定する。また、オートバウンス動作中ではなかったとしても、カメラ１００が、情報表示部１０８に所定の情報を表示する必要がある所定の動作を実行中である場合は、露出制御値表示フラグと露出差情報表示フラグをＯＦＦに設定する。当該所定の動作は、例えば、発光部２０８の発光量を固定して露出を設定する動作や、発光部２０８を間欠的に連続して発光することで被写体に与える陰影効果を確認する動作などである。
【００７２】
以上説明したように、本実施形態のカメラ１００は、被写体の測光時に、オートバウンス動作中であると判定された場合は、露出制御値５０２や露出差情報５０３を表示しないような構成である。この構成により、オートバウンス動作中の複数回のプリ発光などによって、情報表示部１０８に表示される測光結果が不自然に変化することを防止することができる。したがって、本実施形態のカメラ１００は、照明装置の照射方向を自動で変更する場合に、ユーザに報知する測光結果に関する情報が不自然に変化することを抑制することができる。
【００７３】
なお、外部ストロボ１２０がオートバウンス動作中であるか否かの判定は、カメラ１００と外部ストロボ１２０との通信結果に基づいてカメラＭＰＵ１０１が判定する構成である。この構成により、情報表示部１０８における測光結果に関する情報の表示を、外部ストロボ１２０のオートバウンス動作の開始から終了までの期間に合わせて正確に制御することができる。
【００７４】
また、本実施形態のカメラ１００は、オートバウンス動作中であると判定された場合に、表示手段にオートバウンス情報５０４を表示する構成である。この構成により、ユーザは、外部ストロボ１２０がオートバウンス動作中であることを容易に知ることができる。換言すると、ユーザは、可動部１２０ｂの駆動が完了し、オートバウンス動作によって発光部２０８がバウンス発光に適した照射方向になったことを容易に知ることができため、バウンス発光撮像を失敗せずに実行することができる。
【００７５】
（第２実施形態）
以下、図７を参照して、本発明の第２実施形態にカメラ１００について説明する。図７は、本発明の第２実施形態に係る測光表示制御を説明するフローチャートである。カメラＭＰＵ１０１は、レリーズボタンがＳＷ１状態にされたことに応じて測光表示制御を開始する。ステップＳ７０１〜Ｓ７０２の処理は、前述した第１実施形態のステップＳ６０１〜Ｓ６０２と同一なので説明は省略する。
【００７６】
カメラＭＰＵ（判定手段）１０１がオートバウンス動作中である（ステップＳ７０２でＹＥＳ）と判定した場合、ステップＳ７０３でカメラＭＰＵ１０１は、露出制御値更新フラグをＯＦＦに設定する。この露出制御値更新フラグは、後述する表示更新処理において、情報表示部１０８における露出制御値５０２の表示を更新するか否かを設定するための情報である。
【００７７】
次に、ステップＳ７０４でカメラＭＰＵ１０１は、露出差情報更新フラグをＯＦＦに設定する。この露出差情報更新フラグは、後述する表示更新処理において、情報表示部１０８における露出差情報５０３の表示を更新するか否かを設定するための情報である。
【００７８】
次に、カメラＭＰＵ（判定手段）１０１がオートバウンス動作中ではない（ステップＳ７０２でＮＯ）と判定した場合、ステップＳ７０５でカメラＭＰＵ１０１は、露出制御値更新フラグをＯＮに設定する。次に、ステップＳ７０６でカメラＭＰＵ１０１は、露出差情報更新フラグをＯＮに設定する。以上説明した各更新フラグは、メモリ１０６に記録され、表示更新処理のタイミングでカメラＭＰＵ１０１によって読み出される。
【００７９】
各ステップで表示フラグのＯＮ・ＯＦＦを設定した後に、ステップＳ７０７でカメラＭＰＵ１０１は、メモリ１０６に記録されている各更新フラグを読み出す。そして、カメラＭＰＵ（表示制御手段）１０１は、読み出した更新フラグに基づいて、情報表示部１０８において測光結果に関する情報の表示を更新するか否かを制御する。
【００８０】
なお、ステップＳ７０２の判定がＹＥＳ（オートバウンス動作中）の場合、露出制御値更新フラグと露出差情報更新フラグがＯＦＦに設定されている。したがって、この場合、カメラＭＰＵ１０１は、露出制御値５０２と露出差情報５０３の表示を更新しないように、情報表示部１０８の表示制御を実行する。具体的に、カメラＭＰＵ１０１は、測光表示制御で取得した測光結果に関する情報に対応した表示は更新せず、表示中の測光結果に関する情報の表示を維持するように制御する。
【００８１】
したがって、現在処理中の測光表示制御の開始時に情報表示部１０８に測光結果に関する情報が表示されている場合は、当該測光結果に関する情報の表示が維持される。また、現在処理中の測光表示制御の開始時に情報表示部１０８に測光結果に関する情報が表示されていない場合は、情報表示部１０８には測光結果に関する情報の表示は行われない。
【００８２】
これに対して、ステップＳ７０２の判定がＮＯ（オートバウンス非動作中）の場合、露出制御値更新フラグと露出差情報更新フラグがＯＮに設定されている。したがって、この場合、カメラＭＰＵ１０１は、露出制御値５０２と露出差情報５０３の表示を更新するように、情報表示部１０８の表示制御を実行する。具体的に、カメラＭＰＵ１０１は、測光表示制御で取得した測光結果に関する情報に対応した表示を更新して、表示中の測光結果に関する情報を変更するように制御する。
【００８３】
なお、現在処理中の測光表示制御の開始時に情報表示部１０８に測光結果に関する情報が表示されていない場合は、情報表示部１０８において測光結果に関する情報の表示が開始される。以上が本実施形態の測光表示制御である。
【００８４】
以上説明したように、本実施形態のカメラ１００は、被写体の測光時に、オートバウンス動作中であると判定された場合は、露出制御値５０２や露出差情報５０３の表示を更新しないような構成である。この構成であっても、前述した第１実施形態と同様に、オートバウンス動作中に、情報表示部１０８に表示される測光結果が不自然に変化することを防止することができる。したがって、本実施形態のカメラ１００は、照明装置の照射方向を自動で変更する場合に、ユーザに報知する測光結果に関する情報が不自然に変化することを抑制することができる。
【００８５】
なお、前述した第１実施形態のように、測光表示制御においてカメラＭＰＵ１０１がオートバウンス動作中であると判定した場合に、オートバウンス情報を情報表示部１０８に表示させるような構成であってもよい。
【００８６】
また、本実施形態では、オートバウンス動作中に各更新フラグをＯＦＦに設定することで、情報表示部１０８における測光結果に関する情報の表示を更新しないような構成であるが、これに限定されるものではない。例えば、カメラＭＰＵ１０１は、オートバウンス動作中に測光処理で取得した測光値に関する情報を破棄することで、情報表示部１０８における測光結果に関する情報の表示を更新しないような構成であってもよい。この構成であっても、各更新フラグをＯＦＦに設定した場合と同一の効果が得られる。
【００８７】
（第３実施形態）
以下、図８を参照して、本発明の第３実施形態にカメラ１００について説明する。図８は、本発明の第３実施形態に係る測光表示制御を説明するフローチャートである。カメラＭＰＵ１０１は、レリーズボタンがＳＷ１状態にされたことに応じて測光表示制御を開始する。なお、ステップ８０１の処理は、前述した第１実施形態のステップＳ６０２の処理と同様なので説明は省略する。
【００８８】
カメラ（判定手段）ＭＰＵ１０１がオートバウンス動作中ではない（ステップＳ８０１でＮＯ）と判定した場合、ステップＳ８０３に進む。また、カメラＭＰＵ（判定手段）１０１がオートバウンス動作中である（ステップＳ８０１でＹＥＳ）と判定した場合、ステップＳ８０２に進む。
【００８９】
次に、ステップＳ８０２でカメラＭＰＵ（測光制御手段）１０１は、ストロボＭＰＵ２０１から入力された状態信号に基づいて、外部ストロボ１２０のオートバウンス動作が完了したか否かを判定する。なお、オートバウンス動作が完了したことを示す状態信号は、オートバウンス動作の完了に合わせて、ストロボＭＰＵ２０１からカメラＭＰＵ１０１へと送信される。ステップＳ８０２の処理は、外部ストロボ１２０のオートバウンス動作が完了したとカメラＭＰＵ１０１が判定するまで繰り返す。
【００９０】
次に、ステップＳ８０３で測光部１１３は、測光センサ１１４の出力に基づいて各エリアの測光値を取得し、カメラＭＰＵ１０１に出力する。そして、ステップＳ８０４でカメラＭＰＵ１０１は、取得した測光値に基づく露出制御値５０２または露出差情報５０３を情報表示部１０８に表示させるように制御する。以上が本実施形態の測光表示制御である。
【００９１】
以上説明したように、本実施形態のカメラ１００は、被写体の測光が指示された際に、外部ストロボ１２０がオートバウンス動作中であると判定された場合は、オートバウンス動作が完了するまで測光部１１３を用いた測光処理を実行しない構成である。換言すると、本実施形態のカメラ１００において、カメラＭＰＵ（測光制御手段）１０１は、オートバウンス動作中であると判定した場合に、測光部１１３を用いた測光を行わないように測光部１１３を制御する構成である。
【００９２】
この場合、オートバウンス動作中に新たに測光が行われることがないため、情報表示部１０８に表示される測光結果が不自然に変化することを防止することができる。したがって、本実施形態のカメラ１００は、照明装置の照射方向を自動で変更する場合に、ユーザに報知する測光結果に関する情報が不自然に変化することを抑制することができる。
【００９３】
以上、本発明の好ましい実施形態について説明したが、本発明はこれらに限定されず、その要旨の範囲内で種々の変形および変更が可能である。例えば、前述した実施形態では、測光結果に関する情報を情報表示部１０８に表示する構成について説明したが、モニタ１０７に表示するような構成であってもよい。また、レンズユニット３００からミラーを介したファインダ（不図示）までの光路中にファインダ内表示部を設け、当該ファインダ内表示部に測光結果に関する情報を表示するような構成であってもよい。さらに、カメラ１００の外部に設けられた外部モニタに測光結果に関する情報を表示するような構成であってもよい。すなわち、本実施形態に係る表示手段としては、少なくとも、測光結果に関する情報をユーザに報知できるものであればどのようなものを採用してもよい。同様に、図５（ｂ）に図示したような、外部ストロボ１２０がオートバウンス動作中であることを示す情報を、情報表示部１０８以外の表示手段に表示するような構成であってもよい。
【００９４】
また、前述した実施形態では、測光表示制御において、カメラＭＰＵ１０１がオートバウンス動作中であるか否かを判定する場合について説明したが、これに限定されるものではない。例えば、測光表示制御において、カメラＭＰＵ１０１がオートバウンス動作（第１の動作）を開始する指示がされているか否かを判定するような構成であってもよい。また、オートバウンス動作開始前にオートバウンス動作を実行する期間を検出できる場合は、カメラＭＰＵ１０１が、該オートバウンス動作を実行する期間で測光結果に関する情報の表示などを実行しないように制御する構成であってもよい。すなわち、本発明の実施形態に係る測光表示制御としては、少なくとも、オートバウンス動作（第１の動作）中に、測光結果に関する情報の表示や、測光結果に関する情報の表示の更新、測光動作をおこなわない構成であればよい。
【００９５】
なお、前述した実施形態では、ユーザによるオートバウンス動作の開始指示から発光部２０８が最適な照射方向となるまでの動作をオートバウンス動作（第１の動作）としたが、これに限定されるものではない。例えば、ユーザによるオートバウンス動作の開始指示から、被写体方向に向けた発光部２０８のプリ発光が完了するまでの動作をオートバウンス動作（第１の動作）とするような構成であってもよい。本発明の実施形態としては、少なくとも、複数の異なる方向に向けて発光部２０８の照射方向を自動で変更しながら複数回の発光を行う動作を、オートバウンス動作（第１の動作）とする。
【００９６】
また、前述した実施形態では、外部ストロボ１２０がオートバウンス動作として第１の動作を行う場合について説明した。これに対して、外部ストロボ１２０がオートバウンス動作として、前述した第２の動作を行う場合について以下に説明する。
【００９７】
外部ストロボ１２０がオートバウンス動作として第２の動作を行う場合、ユーザが手動設定した本体部１２０ａに対する可動部１２０ｂの角度を記憶しておき、オートバウンス指示に応じて記憶した角度となるように可動部１２０ｂを自動で駆動する。この場合、オートバウンス動作に応じて発光部２０８のプリ発光は行われないため、オートバウンス動作中であっても、情報表示部１０８に表示される測光結果に関する情報が不自然に変化することはない。
【００９８】
したがって、前述した実施形態の各測光表示制御は、少なくとも、外部ストロボ１２０がオートバウンス動作として第１の動作中に実行する構成であればよい。換言すると、外部ストロボ１２０がオートバウンス動作の第１の動作中である場合に、情報表示部１０８の測光結果に関する情報の表示・表示の更新・測光動作をおこなわないように制御する構成であればよい。
【００９９】
これに対して、外部ストロボ１２０がオートバウンス動作の第２の動作中である場合、カメラＭＰＵ１０１は、図５（ｂ）に図示したような外部ストロボ１２０がオートバウンス動作中であることを示す情報を情報表示部１０８に表示するように制御する。以上説明した構成であれば、外部ストロボ１２０の動作に応じて測光結果に関する情報が変化しない状況において、測光表示制御における表示や表示の更新の有無、測光動作の要否などが不必要に変更されることを抑制することができる。
【０１００】
また、前述した実施形態では、露出制御値５０２として、絞り値やシャッタースピード、撮影感度などをまとめて表示する構成について説明したが、カメラＭＰＵ１０１が、各露出制御値の表示を別々に制御するような構成であってもよい。
【０１０１】
なお、情報表示部１０８に表示する露出制御値５０２のうち、ユーザの手動操作のみによって設定可能な露出制御値に関する情報は、オートバウンス動作に伴って不自然に表示が変化しない。したがって、前述した実施形態の測光表示制御において、測光結果に関する情報のうち、測光部１１３による測光に基づいて自動で設定される情報のみ、オートバウンス動作中に表示、表示の更新を行わないような構成であってもよい。換言すると、測光結果に関する情報のうち、ユーザによる手動操作のみで設定可能な情報は、オートバウンス動作中であっても表示、表示の更新をおこなうような構成であってもよい。
【０１０２】
上記の構成について具体的に説明する。例えば、カメラ１００の撮像モードが所謂Ｔｖ優先モードやＡｖ優先モードに設定されている場合は、カメラ１００が自動で演算（測光）した露出制御値のみ、オートバウンス動作中に表示しないように制御する。この場合、例えば、カメラ１００の撮像モードがＡｖ優先モードに設定されている状態では、オートバウンス動作中に、露出制御値５０２のうちのシャッタースピードと撮影感度に関する情報の表示、および表示の更新を行わない。すなわち、カメラ１００の撮像モードがＡｖ優先モードに設定されている状態では、オートバウンス動作中に絞り値に関する情報の表示を行う（表示を継続する）。以上説明した構成であれば、測光結果に関する情報のうち、オートバウンス動作に伴って不自然に変化する情報が不自然に変化することを抑制することができる。
【０１０３】
また、前述した実施形態では、カメラＭＰＵ１０１や測光部１１３、発光制御部１１９、ストロボＭＰＵ２０１、照射方向演算部２０４などが互いに連携して動作することで、カメラ１００の動作を制御する構成であったが、これに限定されるものではない。例えば、前述した図４、図６〜８に図示したフローに従ったプログラムを予めメモリ１０６に格納しておき、当該プログラムをカメラＭＰＵ１０１などが実行することで、カメラ１００の動作を制御するような構成であってもよい。
【０１０４】
また、プログラムの機能を有していれば、オブジェクトコード、インタプリタにより実行されるプログラム、ＯＳに供給するスクリプトデータ等、プログラムの形態を問わない。また、プログラムを供給するための記録媒体としては、例えば、ハードディスク、磁気テープ等の磁気記録媒体、光／光磁気記録媒体でもあってもよい。
【０１０５】
また、前述した実施形態では、本発明を実施する撮像装置の一例としてデジタルカメラについて説明したが、これに限定されるものではない。例えば、外部ストロボ１２０のように、可動部１２０ｂを自動で駆動できる発光装置に接続可能な装置であれば、本発明はその要旨の範囲内で種々の撮像装置に適用することが可能である。
【０１０６】
（その他の実施形態）
また本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現できる。また、１以上の機能を実現する回路（例えば、ＡＳＩＣ）によっても実現できる。
【符号の説明】
【０１０７】
１００  カメラ
１０１  カメラＭＰＵ
１０２  撮像素子
１０８  情報表示部
１１３  測光部
１１４  測光センサ
１２０  外部ストロボ
２０８  発光部
【図１】
0006562791.tif 000002
【図２】
0006562791.tif 000003
【図３】
0006562791.tif 000004
【図４】
0006562791.tif 000005
【図５】
0006562791.tif 000006
【図６】
0006562791.tif 000007
【図７】
0006562791.tif 000008
【図８】
0006562791.tif 000009